(57)【要約】      （修正有）【課題】布地が厚くても、サイズが大きくても、使用中に形を整えたりたたむなどの手間がかかることなく、手に馴染みやすい、特に手に障害があって握力が弱い人や老人など握力が衰えた人に扱いやすく使いやすい布巾を提供する。【解決手段】二つ折りにして二枚重ねになった略正方形の布の周縁四辺のうち、折り曲げ辺部４と隣り合うどちらか一方のニ辺を縫合して閉口部１１とし、折り曲げ辺部４と閉口部１１以外の残りの辺を開口部１０とした半袋状の形体にする。二枚重ねの布巾として、また開口部の広い袋状の一枚地の布巾として、簡単に使い分けることができるように、折り曲げ辺部４と閉口部１１との頂点にひも輪６を取り付けて、布巾の形体をひも輪付き半袋状にする。【選択図】  図１
2006158921.tif 000002
【特許請求の範囲】
【請求項１】
長尺形の布を二つ折りにして二枚重ねになった略正方形の布の折り曲げた辺に、隣り合う合二辺のうちのどちらか一辺を閉じて、残りの二辺を開口部としたことを特徴とする布巾
【請求項２】
前記四辺のうち閉口部二辺の頂点にひも輪を取り付けたことを特徴とする請求項１記載の布巾
【発明の詳細な説明】
【技術分野】
【０００１】本発明は食器、野菜、果物など主に炊事用に用いる布巾に関する
【背景技術】
【０００２】現在出まわっている布巾の形体は、例えば綿の一枚地で平面状のものがある。そのまま一枚地で使用するには吸水性に欠ける。この種の布巾はサイズが大きいので両手で布巾を動かしたり、使用する面を変えながら使わなければならない。同じ平面状のものでタオルの一枚地の布巾は吸水性が良く、手頃なサイズではあるが地厚で手に馴染まなかったり、使用後の乾燥が遅い。このほか数枚重ねのガ−ゼのもの、化繊のもの等があるがいずれも平面状の形体であり、使用するときに形を整える、たたむなどの手間をかけなければならない場合が多い。【０００３】平面状の形体ではなく手の挿入開口部のみを残して、周縁近傍部を閉じる袋状の形体をとる布巾が知られている。この袋状の布巾は使用の際開口部が狭いので手を挿入するとき、又使用後開口部から手を抜くとき、挿入しない方の手の助けが必要となる。炊事中濡れた手のときなどは特に手を添える必要性が生じ手間どる回数が多くなる。使用中手から滑り落ちにくいということから、縦状面の壁などには使い易い布巾ではあるが、炊事用には不向きと思われる。又開口部が狭いので使用後の洗浄が困難と思われる。前述の平面状の布巾と同じく、袋状の布巾も使用中手間どることが多く、使用する誰もが使いやすい布巾ではない。特に手に障害があって握力が弱い人、老人など握力が衰えた人には決して扱いやすく使いやすい布巾ではない。【０００４】
【特許文献１】    実開平６−３６５５８号公報
【発明の開示】
【発明が解決しようとする課題】
【０００５】本発明は上述の現状における問題を解決して扱いやすく使いやすい布巾を提供することが課題である。
【課題を解決するための手段】
【０００６】請求項１で記載したように、長尺形の布を二つ折りにして二枚重ねになった略正方形の布の折り曲げた辺に、隣り合う二辺のうちのどちらか一辺を閉じて、残りの二辺を開口部とした半袋状の形体をとり、請求項２に記載したように周縁四辺のうち、閉口部二辺の頂点にひも輪を取り付ける布巾により課題を解決している。
【発明の効果】
【０００７】課題を充分解決して扱いやすく、使いやすい布巾となる特有の効果を有する。
【発明を実施するための最良の形態】
【０００８】以下図面に示す実施例に従って本発明の実施の形体について説明する。【０００９】例えば、二つ折りにすると１８ｃｍくらいの略正方形になる長尺形の布を裁断する。裁断した長尺形の布の全周縁をほつれないように、ロックミシンなどで仕まつをすると周縁仕まつ部３が形成される。周縁仕まつ部３が形成された長尺形の布を略正方形になるように二つ折りにすると、折り曲げ辺部４が形成される。このとき布の表地１が内側になるように折る。【００１０】つぎに、折り曲げ辺部４を右側に位置させ、折り曲げ辺部上部の角５に長さ８ｃｍくらいのひもをひも輪６になるようにして、二枚重ねの内側にはさみ、上辺部７を７ｍｍくらいの縫しろで縫合することにより、縫合辺部８が形成される。このとき、ひも輪６の取り付け方向は上辺部７を縫合後、表に返したとき輪が外側に形成されるように取り付ける図３。【００１１】縫合辺部８が形成されたあと、表地１が外側になるように、周縁仕まつ部頂点９を開いて表に返す。最後に縫合辺部８と開口部１０の頂点１２を、かがり縫いなどで止めると頂点１２が安定され補強される。以上の実施例により、二枚重ねの略正方形四辺のうち隣り合う二辺が閉口部１１、残りの二辺が開口部１０のひも輪６付き半袋状の布巾ができあがる。【００１２】長尺形の布を二つ折りにして二枚重ねになった略正方形の布の周縁四辺のうち、折り曲げ辺部４と隣り合う一辺を縫合辺部８で閉口部１１としたことにより、使用中特に意識することなく常に二枚重ねの布巾として使用することができ、形を整える手間が省ける。又、閉口部１１の二辺のうち一辺を二つ折りにした時にできる折り曲げ辺部４を利用することにより、かさばりが少なく握力が弱い人、握力が衰えた人には負担が少ない。【００１３】折り曲げ辺部上部角５、つまり閉口部１１の二辺の頂点にひも輪６を取り付けたことにより、手から布巾が離れた場合でもひも輪６を掴み、前後又は左右に軽く振るだけで容易に形を整えることができる。このことから視力に障害がある人、怪我などで片手しか使えない人にも使いやすい布巾である。【００１４】ひも輪６を下にして両手で周縁仕まつ部頂点９を広げると、三角形の袋状図２となり一枚地の布巾として使用することができ、その中に被拭物を入れると安定した状態で使用することができる。【００１５】使用後の洗浄については複数重ねで周縁すべて縫合した布巾と比較すると、開口部１０が広いので内部まで洗浄がいきとどき乾燥が早く衛生的でもある。又布巾を使わないときはひも輪６を布巾掛けに通したり、フックに掛けることができる。収納については、ひも輪６を同じ方向に重ねることにより、枚数の確認がしやすい。【００１６】製法については直線裁ちで布地の無駄が少なく、縫合箇所も少ない極めて簡単な製法である。使用する布地は吸水性の良いもの、手に馴染みやすいもの、例えばやわらかいタオル地が適している。又衛生面を考え柄物や色の濃い布地を避け白色や、色物ならばごく薄い色のものが適当と思われる。ひも輪６のひもについては、使用目的が炊事用布巾なので布製のものが望ましい。【００１７】布巾の形体を略正方形にこだわらず長方形の半袋状のものなど、形、布地、サイズを変えることにより、炊事用だけでなく靴磨き用、家具、床などの住居用、画材絵筆用など利用目的は多岐に及ぶものと考えられる。
【図面の簡単な説明】
【００１８】
【図１】    本発明における実施例の平面図である。
【図２】    本発明における実施例の斜視図である。
【図３】    本発明における実施例の状態図である。
【符号の説明】
【００１９】    １    長尺形布表地
２    長尺形布裏地
３    周縁仕まつ部
４    折り曲げ辺部
５    折り曲げ辺部上部角
６    ひも輪
７    上辺部
８    縫合辺部
９    周縁仕まつ部頂点
１０    開口部
１１    閉口部
１２    縫合辺部と開口部の頂点
【図１】
2006158921.tif 000003
【図２】
2006158921.tif 000004
【図３】
2006158921.tif 000005